(57)【特許請求の範囲】
【請求項１】
食品を供給する供給部と、
前記供給部により載置面上に並べられた複数の前記食品を把持する把持部と、
前記把持部により把持された複数の前記食品をトレイ上に搬送する搬送部と、を備え、
前記把持部は、複数の前記食品が並べられた方向における複数の前記食品の両側から、複数の前記食品を挟む一対の挟持部材を有し、
一対の前記挟持部材は、互いに平行に設けられた板状体によりそれぞれ構成され、
前記把持部は、前記食品の下方が解放された状態で複数の前記食品の上面及び側面の少なくともいずれか一面を支える支持部材をさらに有し、
前記食品の外表面は平行な一対の平面を有しており、その平面どうしが接するように前記載置面上において前記載置面に平行な方向に並べられた複数の前記食品を、前記把持部が前記食品の下方を解放した状態で、一対の前記挟持部材により挟んで前記載置面上から持ち上げる、食品の詰め込み装置。
【請求項２】
前記供給部は、前記食品を吸着する吸着ヘッドを有している、請求項１に記載の食品の詰め込み装置。
【請求項３】
前記支持部材は、下方に拡がる山型形状を有している、請求項１又は２に記載の食品の詰め込み装置。
【請求項４】
前記把持部を先端にそれぞれ有する一対のアームを備えたロボットにより構成されている、請求項１〜３のいずれか一項に記載の食品の詰め込み装置。
【発明の詳細な説明】
【技術分野】
【０００１】
本発明は、食品をトレイに詰め込む食品の詰め込み装置に関する。
【背景技術】
【０００２】
従来、食品をトレイに詰め込む装置として、たとえば、特許文献１に示す食品のコンテナ詰め装置が知られている。この食品のコンテナ詰め装置では、食品は搬送コンベアから固定シュート板に落下する。この固定シュート板においてタイミングホルダおよび保持容器により食品は順次向きを変えながら落下していく。そして、所定の姿勢になった食品が固定シュート板から搬送部に落下し、搬送部により搬送されるコンテナに重ね入れられていく。
【先行技術文献】
【特許文献】
【０００３】
【特許文献１】特開平６−２４４０８号公報
【発明の概要】
【発明が解決しようとする課題】
【０００４】
特許文献１の食品のコンテナ詰め装置では、食品をタイミングホルダ、保持容器およびコンテナに順次落下させている。この食品のコンテナ詰め装置で、おにぎりおよびサンドイッチなどの食品をコンテナに詰め込むことが考えられる。このような食品は変形し易く、外力により一度変形すると、外力を除いても元の形には戻らない。よって、食品が落下した際に食品が外力を受けて変形すると、食品の変形により商品価値が損なわれる。この結果、不適合品の割合が増え、作業効率が低下してしまうおそれがある。
【０００５】
本発明は上記のような課題を解決するためになされたもので、作業効率の低下を抑制することができる食品の詰め込み装置を提供することを目的としている。
【課題を解決するための手段】
【０００６】
上記目的を達成するために、本発明のある形態に係る食品の詰め込み装置は、食品を供給する供給部と、前記供給部により並べられた複数の前記食品を把持する把持部と、前記把持部により把持された複数の前記食品をトレイ上に搬送する搬送部と、を備え、前記把持部は、複数の前記食品が並べられた方向において複数の前記食品をその両側から挟む一対の挟持部材を有している。
【０００７】
これによれば、変形し易い食品であっても、一対の挟持部材により食品を挟持することにより、変形することなく食品をトレイに収容することができる。よって、不適合品の増加を防ぎ、作業効率が低下することを抑制することができる。
【０００８】
この食品の詰め込み装置は、一対の前記挟持部材は、互いに平行に設けられた板状体によりそれぞれ構成されていてもよい。これによれば、挟持部材は簡単な形状であるため、製品コストの増大を抑えることができる。また、挟持部材は薄いため、先にトレイに収容した食品との間隔を広くとることなく、食品をトレイに収容することができる。
【０００９】
この食品の詰め込み装置は、前記供給部は、前記食品を吸着する吸着ヘッドを有していてもよい。これによれば、変形し易い食品であっても、変形することなく食品を吸着ヘッドにより供給することができる。
【００１０】
この食品の詰め込み装置は、前記把持部は、複数の前記食品が並べられた方向の両側とは異なる側から複数の前記食品を支える支持部材をさらに有していてもよい。これによれば、挟持部材に加えて支持部材により食品を支えることにより、より確実に食品を把持することができる。
【００１１】
この食品の詰め込み装置は、前記支持部材は、前記支持部材は下方に拡がる山型形状を有していてもよい。これによれば、三角形状の食品の上部に山型形状の支持部材を当てることにより、より確実に食品を把持することができる。
【００１２】
この食品の詰め込み装置は、前記食品の外表面は平行な一対の平面を有しており、その平面どうしが接するように並べられた複数の前記食品を一対の前記挟持部材により挟んでもよい。これにより、食品を安定的に把持することができると共に、トレイにおける食品の収納率を向上させ、作業効率の向上が図られる。
【００１３】
この食品の詰め込み装置は、前記把持部を先端にそれぞれ有する一対のアームを備えたロボットにより構成されていてもよい。これによれば、たとえば、先端を取替可能な汎用ロボットを使用することにより、先端を取り替えるだけで、食品の詰め込み作業が可能となる。
【発明の効果】
【００１４】
本発明は、以上に説明した構成を有し、作業効率の低下を抑制することができるという効果を奏する。
【図面の簡単な説明】
【００１５】
【図１】図１は、実施形態に係る食品の詰め込み装置を適用したロボットの一例の全体的な構成を概略的に示す平面図である。
【図２】図２は、図１のロボットの制御装置の構成を概略的に示す機能ブロック図である。
【図３】図３は、供給部により食品を作業台に供給している状態を概略的に示す斜視図である。
【図４】図４は、把持部により食品を把持している状態を概略的に示す斜視図である。
【図５】図５は、搬送部により食品をトレイ上に搬送している状態を概略的に示す斜視図である。
【発明を実施するための形態】
【００１６】
以下、好ましい実施形態を、図面を参照しながら説明する。なお、以下では全ての図面を通じて同一または相当する要素には同一の参照符号を付して、その重複する説明を省略する。また、図面は理解しやすくするために、それぞれの構成要素を模式的に示したものである。さらに、一対のアームを広げた方向を左右方向と称し、基軸の軸心に平行な方向を上下方向と称し、左右方向および上下方向に直交する方向を前後方向と称する。
【００１７】
（実施形態）
本実施形態に係る食品４０の詰め込み装置１０は、複数の食品４０をトレイ４１に詰め込む装置である。図１に示すロボット１１により本発明に係る食品４０の詰め込み装置１０を構成した場合について説明する。ただし、食品４０の詰め込み装置１０はロボット１１により構成される場合に限定されない。なお、このロボット１１について、水平多関節型の双腕ロボットを説明するが、水平多関節型・垂直多関節型などのロボット１１を採用することができる。また、食品４０は、一定の形状を有する食料品であって、たとえば、おにぎりおよびサンドイッチが例示される。
【００１８】
ロボット１１は、図１に示すように、台車１２と、台車１２に支持された一対のロボットアーム（以下、単に「アーム」と記載する場合がある）１３、１３と、台車１２内に収納された制御装置１４とを備えている。各アーム１３は、水平多関節型ロボットアームであって、アーム部１５とリスト部１７とハンド部１８、１９とを備えている。アーム部１５およびリスト部１７は、複数の食品４０をトレイ４１上に搬送する搬送部として機能する。なお、左のアーム１３および右のアーム１３は、ハンド部１８、１９を除いて実質的に同じ構造であってもよい。また、左のアーム１３および右のアーム１３は、独立して動作したり、互いに関連して動作したりすることができる。
【００１９】
アーム部１５は、本例では、第１リンク１５ａおよび第２リンク１５ｂとで構成されている。第１リンク１５ａは、台車１２の上面に固定された基軸１６と回転関節Ｊ１により連結され、基軸１６の軸心を通る回転軸線Ｌ１まわりに回動可能である。第２リンク１５ｂは、第１リンク１５ａの先端と回転関節Ｊ２により連結され、第１リンク１５ａの先端に規定された回転軸線Ｌ２まわりに回動可能である。
【００２０】
リスト部１７は、昇降部１７ａおよび回動部１７ｂにより構成されている。昇降部１７ａは、第２リンク１５ｂの先端と直動関節Ｊ３により連結され、第２リンク１５ｂに対し昇降移動可能である。回動部１７ｂは、昇降部１７ａの下端と回転関節Ｊ４により連結され、昇降部１７ａの下端に規定された回転軸線Ｌ３まわりに回動可能である。
【００２１】
右ハンド部１８および左ハンド部１９は、リスト部１７の回動部１７ｂに連結されており、食品４０を供給する供給部２０、および、食品４０を把持する把持部３０により構成されている。供給部２０は吸着ヘッド２３を有している。供給部２０および把持部３０はアーム１３の先端に設けられている。なお、右ハンド部１８および左ハンド部１９の詳細については後述する。
【００２２】
吸着ヘッド２３は、配管２４を介して真空発生装置２５に接続されており、真空発生装置２５により負圧を発生させられる。真空発生装置２５は、たとえば、真空ポンプやＣＯＮＶＵＭ（登録商標）などであり、台車１２やアーム１３に設けられている。配管２４には、たとえば、開閉弁（図示せず）が設けられており、開閉弁により配管２４を開放および閉塞することによって、吸着ヘッド２３による吸着およびその解除が行われる。この真空発生装置２５の動作および開閉弁の開閉は制御装置１４により制御される。
【００２３】
上記構成の各アーム１３は、各関節Ｊ１〜Ｊ４を有する。そして、アーム１３には、各関節Ｊ１〜Ｊ４に対応付けられるように、駆動用のサーボモータ（図示せず）、および、そのサーボモータの回転角を検出するエンコーダ（図示せず）等が設けられている。また、２本のアーム１３、１３の第１リンク１５ａ、１５ａの回転軸線Ｌ１は同一直線上にあり、一方のアーム１３の第１リンク１５ａと他方のアーム１３の第１リンク１５ａとは上下に高低差を設けて配置されている。
【００２４】
制御装置１４は、図２に示すように、ＣＰＵ等の演算部１４ａと、ＲＯＭ、ＲＡＭ等の記憶部１４ｂと、サーボ制御部１４ｃと、を備える。制御装置１４は、例えばマイクロコントローラ等のコンピュータを備えたロボットコントローラである。なお、制御装置１４は、集中制御する単独の制御装置１４によって構成されていてもよいし、互いに協働して分散制御する複数の制御装置１４によって構成されていてもよい。
【００２５】
記憶部１４ｂには、ロボットコントローラとしての基本プログラム、各種固定データ等の情報が記憶されている。演算部１４ａは、記憶部１４ｂに記憶された基本プログラム等のソフトウェアを読み出して実行することにより、ロボット１１の各種動作を制御する。すなわち、演算部１４ａは、ロボット１１の制御指令を生成し、これをサーボ制御部１４ｃに出力する。サーボ制御部１４ｃは、演算部１４ａにより生成された制御指令に基づいて、ロボット１１の各アーム１３の関節Ｊ１〜Ｊ４に対応するサーボモータの駆動を制御するように構成されている。
【００２６】
次に、右ハンド部１８および左ハンド部１９について、図３を参照して説明する。各ハンド部１８、１９は、供給部２０および把持部３０を備えている。供給部２０と把持部３０との相対位置は、リスト部１７の回動により左右方向または前後方向に変えられる。
【００２７】
供給部２０は、台座２１、回転部材２２および吸着ヘッド２３を有している。１つまたは複数（この実施形態では、２つ）の吸着ヘッド２３が供給部２０に設けられている。
【００２８】
台座２１は、リスト部１７から下方に延び、この延びる方向に対して傾斜する傾斜面２１ａを有している。傾斜面２１ａは、前後方向または左右方向に対して下方に向く。回転部材２２は、台座２１の傾斜面２１ａに対して回転可能に取り付けられている。回転部材２２は、傾斜面２１ａに対して垂直な軸に対して回転する。吸着ヘッド２３は、回転部材２２に取り付けられている。吸着ヘッド２３は、ゴムなどの弾性材料で形成された吸着パッドであり、回転部材２２から離れる方向に開口するキャップ形状を有している。２つの吸着ヘッド２３は、その開口縁に段差がないように配置されている。
【００２９】
回転部材２２が回転することにより、吸着ヘッド２３の開口は下方および側方（左右方向）に向きを変える。たとえば、図３の場合には、左ハンド部１９の吸着ヘッド２３は下方を向き、右ハンド部１８の吸着ヘッド２３は左側を向いている。
【００３０】
把持部３０は、挟持部材３１および支持部材３２を有している。挟持部材３１は、たとえば、矩形の板形状であって、下方に延びる。挟持部材３１の一方主面（対向面）は、供給部２０から離れる方向であって、吸着ヘッド２３の開口が向く側方に対し反対側の側方を向く。たとえば、図３の右ハンド部１８の場合、吸着ヘッド２３の開口が左側を向くのに対し、挟持部材３１の対向面は右側を向く。
【００３１】
右ハンド部１８の挟持部材３１と左ハンド部１９の挟持部材３１により一対の挟持部材３１が構成される。リスト部１７の回動によって、右ハンド部１８の挟持部材３１の対向面と左ハンド部１９の挟持部材３１の対向面とは、互いに平行に設けられて対向することが可能である。たとえば、図４の場合には、右ハンド部１８の対向面が左側を向き、左ハンド部１９の対向面が右側を向いて、一対の対向面は相対する。
【００３２】
支持部材３２は、挟持部材３１の対向面側において、対向面に対して垂直に配置される。支持部材３２は、並べられた複数の食品４０の両側以外の部分（たとえば、食品４０の上部）を支持することができる形状であればよい。この実施形態では、食品４０に三角形状のおにぎりが用いられているため、支持部材３２は下方に拡がる山型形状（逆Ｖ字形状）に形成される。これは、２枚の板状体の各一端が接続されて形成されてもよいし、１枚の板状体が折り曲げられて形成されてもよい。また、支持部材３２の寸法は、並べられた食品４０の１つまたは複数の食品４０に沿う寸法であればよい。ただし、複数の食品４０に支持部材３２が亘る寸法であれば、支持部材３２は食品４０をより安定的に支持することができる。
【００３３】
次に、上記構成のロボット１１による食品４０をトレイ４１に詰め込む方法について図３〜図５を参照して説明する。この方法は制御装置１４により制御されている。なお、ここでは、三角形状のおにぎりの詰め込み方法について説明するが、他の食品４０でも詰め込み方法が同じであるため、その説明は省略する。また、食品４０の外表面は、３つの四角形状平面、および、２つの三角形状平面を有している。２つの三角形状平面は互いに平行に設けられている。
【００３４】
図３に示すように、ロボット１１の前には、作業台４２およびベルトコンベア４３が配置され、ロボット１１の側方（この実施形態では、左側）にはトレイ４１が配置されている。作業台４２は食品４０を仮置きするための台であり、ロボット１１とベルトコンベア４３との間に配置されている。ベルトコンベア４３は、食品４０をロボット１１の前まで移送するための装置である。この実施形態では、食品４０の三角形状平面は四角形状平面より面積が大きいため、食品４０は三角形状平面を上下方向に向けてベルトコンベア４３により左右方向に運ばれる。トレイ４１は、たとえば、出荷するために食品４０を保持するための容器であり、上方に開口している。
【００３５】
まず、ロボット１１は、右ハンド部１８または左ハンド部１９の吸着ヘッド２３の開口を下方に向けて、ベルトコンベア４３上の食品４０の三角形状平面に宛がう。このとき、真空発生装置２５（図１）を動作させておき、開閉弁により配管２４（図１）を開放しておく。これにより、食品４０は吸着ヘッド２３により吸着される。
【００３６】
続いて、アーム部１５により吸着ヘッド２３を作業台４２上に移動させ、食品４０を作業台４２の上側に運ぶ。また、回転部材２２を回転させて、吸着ヘッド２３の開口を下方から側方へ向ける。このとき、右ハンド部１８および左ハンド部１９の一方のハンド部１８、１９の吸着ヘッド２３の開口は他方のハンド部１８、１９側に向けられる。たとえば、図３の場合には、右ハンド部１８の吸着ヘッド２３の開口は左側に向けられている。これにより、食品４０は、四角形状平面が下になるように、姿勢が変えられる。
【００３７】
そして、リスト部１７により吸着ヘッド２３を下降させて、開閉弁により配管２４（図１）を閉じる。これにより、食品４０に対する吸着ヘッド２３の吸着が解除されて、食品４０が作業台４２に載置される。この際、食品４０が作業台４２に既に置かれている場合、この既存の食品４０に対して左側または右側に並べられる。この際、食品４０の三角形状平面どうしが接するように複数の食品４０が並べられる。
【００３８】
このような食品４０の吸着から解除までの一連の作業により、食品４０が作業台４２に供給される。この一連の供給作業は、右ハンド部１８および左ハンド部１９で行われてもよいし、一方だけで行われてもよい。右ハンド部１８および左ハンド部１９が交互に行われることにより、作業工程時間を短縮化することができる。
【００３９】
図４に示すように、一連の供給作業が繰り返され、所定数（この実施形態では、６個）の食品４０が並べられる。続いて、左ハンド部１９の対向面と右ハンド部１８の対向面とが相対するように、リスト部１７を回動する。また、並んだ複数の食品４０の両側より外側に把持部３０をアーム部１５により配置する。右ハンド部１８および左ハンド部１９をリスト部１７により下げて、支持部材３２が食品４０の上部に当てる。それから、左ハンド部１９の対向面と右ハンド部１８の対向面との間隔が狭まるように、左ハンド部１９をアーム部１５により右側へ移動させ、右ハンド部１８をアーム部１５により右側へ移動させる。これにより、複数の食品４０は左ハンド部１９の挟持部と右ハンド部１８の挟持部との間に挟まれて挟持される。このため、右ハンド部１８および左ハンド部１９をリスト部１７により上げる。この際、右ハンド部１８および左ハンド部１９を同じ高さにすることにより、三角形状平面どうしが接するように並べられた複数の食品４０が作業台４２から持ち上げられる。
【００４０】
図５に示すように、一対のアーム１３、１３を台車１２に対して回動して、右ハンド部１８および左ハンド部１９を旋回させる。これにより、右ハンド部１８および左ハンド部１９の各把持部３０により挟持された食品４０がトレイ４１の上側に運ばれる。
【００４１】
そして、右ハンド部１８および左ハンド部１９をリスト部１７により下降させて、食品４０をトレイ４１上に置く。左ハンド部１９の対向面と右ハンド部１８の対向面との間隔が拡がるように、右ハンド部１８および左ハンド部１９を移動させると、食品４０がトレイ４１に収容される。なお、このように、アーム部１５およびリスト部１７は、各把持部３０により把持された複数の食品４０をトレイ４１上に搬送する搬送部として機能する。
【００４２】
上記構成によれば、把持部３０は、複数の食品４０が並べられた方向において複数の食品４０をその両側から挟む一対の挟持部材３１を有している。おにぎりおよびサンドイッチのような変形し易い食品４０であっても、食品４０を挟持部材３１により挟持して搬送することにより、変形することなく食品４０をトレイ４１に収容することができる。よって、不適合品の増加を防ぎ、作業効率の低下を抑制することができる。
【００４３】
また、一対の挟持部材３１は、互いに平行に設けられた板状体によりそれぞれ構成されている。このように、挟持部材３１は簡単な形状であるため、製品コストを抑えることができる。さらに、挟持部材３１は薄いため、先にトレイ４１に収容した食品４０との間隔を詰めて、食品４０をトレイ４１に収容することができる。
【００４４】
さらに、供給部２０は、食品４０を吸着する吸着ヘッド２３を有している。この吸着ヘッド２３により食品４０を吸着して作業台４２などに供給する。このため、変形し易い食品４０であっても、変形することなく食品４０を供給することができる。
【００４５】
また、把持部３０は、複数の食品４０が並べられた方向の両側とは異なる側から複数の食品４０を支える支持部材３２をさらに有している。挟持部材３１に加えて支持部材３２により食品４０を支えることにより、より確実に食品４０を把持することができる。これにより、食品４０の落下などを防ぎ、食品４０の変形を防止することができる。
【００４６】
さらに、支持部材３２は、下方に拡がる山型形状を有している。たとえば、三角形状のおにぎりおよびサンドイッチなどの食品４０の上部に山型形状の支持部材３２を当てることにより、より多くの方向から食品４０を支えることができる。よって、より確実に食品４０を把持し、食品４０の変形を防止することができる。
【００４７】
または、食品４０の外表面は平行な一対の三角形状平面を有しており、その三角形状平面どうしが接するように複数の食品４０が並べられて一対の挟持部材３１により持ち上げられる。これにより、食品４０を安定的に把持することができると共に、トレイ４１における食品４０の収納率を向上させ、作業効率の向上が図られる。
【００４８】
さらに、食品の詰め込み装置は、把持部３０を先端にそれぞれ有する一対のアーム１３を備えたロボット１１により構成されている。たとえば、供給部２０および把持部３０のそれぞれが装着部（図示せず）を介してリスト部１７に脱着可能に装着されていてもよい。供給部２０が装着部によりリスト部１７に装着されてアーム１３もの先端に設けられ、把持部３０が装着部によりリスト部１７に装着されてアーム１３の先端に設けられる。これによれば、たとえば、先端を取替可能な汎用ロボット１１を使用することにより、先端を取り替えるだけで、食品の詰め込み作業が可能となる。
【００４９】
（その他の実施形態）
上記実施形態において、供給部２０に吸着ヘッド２３が用いられているが、食品４０を作業台４２などに供給できるものであれば、これに限定されない。たとえば、供給部２０はＬ字形状の板部材であってもよい。この場合、Ｌ字形状の板部材で食品４０をすくい上げて作業台４２などに供給してもよい。
【００５０】
上記実施形態において、支持部材３２に山型形状の板部材を用いたが、支持部材３２は食品４０を支えられる形状であれば、これに限定されない。たとえば、支持部材３２は平らな板部材であってもよい。この場合、支持部材３２で直方体形状の食品４０の上面を支えてもよいし、支持部材３２で直方体形状の食品４０の側面を支えてもよいし、支持部材３２で食品４０の下面を支えてもよい。このうち、支持部材３２で直方体形状の食品４０の上面および／または側面を支えると、支持部材３２が食品４０の下方に設けられない。この場合、把持部３０から食品４０を離す際に、一対の挟持部材３１の間隔を広くとる必要がなく、食品４０の間隔を詰めてトレイ４１に収容することができる。
【００５１】
上記実施形態において、挟持部材３１の対向面に滑り止め部材３３をさらに備えていてもよい。滑り止め部材３３は、挟持部材３１の対向面と食品４０との間の摩擦係数を大きくする部材であって、たとえば、ゴムなどの弾性材料から形成される。滑り止め部材３３は、たとえば、薄いシート形状を有している。
【００５２】
上記実施形態において、ベルトコンベア４３に搬送される食品４０の有無を検知するセンサ（図示せず）をさらに備えてもよい。センサは、ロボット１１の前に設けられており、ベルトコンベア４３によりロボット１１の前に運ばれてくる食品４０の存在を検知する。ロボット１１の制御装置１４は、センサからの検知信号を受けて、吸着ヘッド２３に食品４０を吸着させる。
【００５３】
上記実施形態において、ベルトコンベア４３に搬送される食品４０の向きを検知するためのカメラ（図示せず）をさらに備えてもよい。カメラは、ベルトコンベア４３より上側に設けられており、ベルトコンベア４３によりロボット１１の前に運ばれてくる食品４０を撮影する。ロボット１１の制御装置１４は、カメラにより撮影された食品４０の画像から、食品４０の向きを検知する。そして、食品４０の向きに基づいて供給部２０をリスト部１７により回動して、食品４０の四角形状平面が下になるように食品４０の姿勢を変える。
【００５４】
上記実施形態において、山型形状の支持部材３２が用いられた。この支持部材３２は、２枚の板状体で形成されており、２枚の板状体の間隔は調整可能であってもよい。この場合、シリンダなどのアクチュエータ（図示せず）が２枚の板状体の一方または両方に取り付けられており、アクチュエータにより２枚の板状体の一方または両方が移動する。たとえば、一対の挟持部材３１の間隔を狭めると共に、２枚の板状体の間隔を狭めて、食品４０を把持する。これにより、より確実に食品４０を把持することができる。
【００５５】
上記実施形態において、支持部材３２において食品４０に当接する当接面に吸着口（図示せず）が設けられていてもよい。この場合、吸着口に真空発生装置（図示せず）が配管（図示せず）を介して接続されており、配管に開閉弁が設けられている。この真空発生装置の動作および開閉弁の開閉は制御装置１４により制御される。たとえば、一対の挟持部材３１の間隔を狭めると共に、吸着口から食品４０を吸着する。これにより、より確実に食品４０を把持することができる。なお、吸着口に接続される真空発生装置は、吸着ヘッド２３に接続される真空発生装置２５に兼用されていてもよい。また、吸着口および真空発生装置などは、支持部材３２における２枚の板状体の間隔を調整するアクチュエータと共に、詰め込み装置１０に設けられていてもよい。これにより、さらに安定的に食品４０を把持部３０により把持することができる。
【００５６】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造および／または機能の詳細を実質的に変更できる。
【産業上の利用可能性】
【００５７】
本発明は、作業効率の低下を抑制することができる食品の詰め込み装置等として有用である。
【符号の説明】
【００５８】
１０    ：詰め込み装置
２０    ：供給部
２３    ：吸着ヘッド
３０    ：把持部
３１    ：挟持部材
３２    ：支持部材
４０    ：食品
４１    ：トレイ
【図１】
0006626411.tif 000002
【図２】
0006626411.tif 000003
【図３】
0006626411.tif 000004
【図４】
0006626411.tif 000005
【図５】
0006626411.tif 000006